(57)【要約】【課題】金属性の線材であるワイヤー７を屈曲して、パーツ８、モチーフ９を作り、このパーツ８、モチーフ９に金具、チェーンなどを取り付け、装飾品１０を製作する際に、小さいパーツ８、モチーフ９でも形状を維持しながら、繊維で入り組んだパーツ８、モチーフ９を形成でき、数種類のパーツ８、モチーフ９が形成できる、装飾品製作用テンプレートボード冶具１を提供する。【解決手段】装飾品製作用テンプレートボード冶具１は、金属性の線材を屈曲させる為の冶具を固定するための多数の固定穴を有し、多数の固定穴は、特定の形状に沿って配列し、特定の形状の、数種類のテンプレートを有する。特定の形状に沿って配列した固定穴に、金属性の線材であるワイヤー７を屈曲させる為の棒状冶具３を固定し、特定の形状に沿って棒状冶具３にワイヤー７を巻きつけることで、小さいパーツ８、モチーフ９でも形状を維持しながら、繊細で入り組んだパーツ８、モチーフ９を容易に形成できる。【選択図】図１
2012050796.tif 000002
【特許請求の範囲】
【請求項１】
金属性の線材を屈曲して形成するパーツ、モチーフを用いて、装飾品を製作する為の製作用の冶具であって、金属性の線材を屈曲させる為の冶具を固定するための多数の固定穴を有し、多数の固定穴は、特定の形状に沿って配列し、特定の形状の、数種類のテンプレートを有することを、特徴とする装飾品製作用テンプレートボード冶具。
【請求項２】
請求項１に記載の、装飾品製作用のテンプレートボード冶具と、装飾品製作用のテンプレートボード冶具に固定して、金属性の線材を屈曲させるための、シンプルな棒状冶具、金属性の線材を屈曲させるための、特定の形状のテンプレートと形状が同じ形状付き棒状冶具、パーツ、モチーフの形状を整える際に、固定穴に固定しやすくした形状を先端に形成した棒状補助冶具、装飾品製作用テンプレートボード冶具の滑り止め防止用のゴム台を備えたことを、特徴とする装飾品制作用の冶具セット。
【発明の詳細な説明】
【技術分野】
【０００１】  本発明は、金属製の線材を屈曲して形成するパーツ、モチーフを作り、装飾品を製作する、装飾品製作用テンプレートボード治具に関するものである。
【背景技術】
【０００２】  本発明において、装飾品とは、ブローチ、ペンダント、ネックレス、イヤリング、ブレスレット、またはリングなど、身体の装飾を行う全ての物品をいう。
金属製の線材を用いて装飾品を製作する一般的な方法として、金属製の線材であるワイヤーを、屈曲してパーツ、モチーフを形成する（図８（Ｂ）、（Ｃ）、（Ｄ）参照）。
そして、このパーツに金具、チェーンなどを取り付け、ネックレス、あるいは、イヤリングなどを製作する（図８（Ｅ）参照）。
これらの製作作業は、木片に釘を打ち、パーツ、モチーフを製作する方法が紹介されている本がある。
また、特許文献１には、金属製の線材であるワイヤーを、スリット入り筒状冶具を用い、多数の固定穴を有する、デザインボード治具に固定して、金属製の線材をスリット入り筒状冶具に巻きつけて、屈曲する技術が開示される。
また、特許文献２には、段付き頭部のピンにワイヤーを曲折させて、ワイヤーの造形物を作成する方法が記載されている。
【先行技術文献】
【０００３】
【特許文献１】  特開２００９−１８９５９０号広報
【特許文献２】  実用新案登録第３０７３０７０号広報
【発明の概要】
【発明が解決しようとする課題】
【０００４】  しかしながら、仮に、上記特許文献１に記載するように、スリット入り筒状冶具を、多数の固定穴を有する、デザインボード治具に固定して、金属製の線材をスリット入り筒状冶具に巻きつけて、屈曲作業などを行うにしても、筒状冶具は、筒状にスリットを入れるので、細径でも径のサイズに限度がある。
ということは、多数の固定穴のサイズにも限度がある。
固定穴と固定穴の間隔、固定穴の径は、固定する筒状冶具に対応するので、アクセサリーのサイズは小さいので、輪を作りながら、精密で入り組んだ小さいパーツ、モチーフは製作することができない。
また、一般的に用いられているハートのモチーフなどの形状は、一定方向に配列された多数の固定穴にスリット入り筒状冶具を固定しても、きれいな形状にはならないので、太径の筒状冶具の先端付近を複数に分岐させて、一本の筒状冶具で形成する方法であるので、モチーフごとに、サイズごとに太径の筒状冶具を製作しなければならない。
また、特許文献２は、複数の挿入孔が、縦、横に規則正しく配列されている固定台に、挿入孔が透けて見える用紙に図案を描く。
この用紙を固定台にのせて、段付き頭部が形成され、図案が描かれた用紙を突き刺すための尖形状に形成されたピンを、図案に沿って突き刺し、図案の用紙を段付き頭部で固定する。
図案に沿って突き刺した、段付き頭部のピンにワイヤーを曲折させて、ワイヤーの造形物を作成する方法である。
この方法はワイヤー曲げ具であって、段付き頭部のピンにワイヤーを巻きつけて作業する方法については、記載されていない。
仮に、段付き頭部のピンにワイヤーを巻きつけて作業するにしても、段付き頭部付きのピンでは、挿入孔より段付き頭部の分だけサイズを必ず大きくしなければならないので細径にはできない。
輪を作りながら、精密で入り組んだパーツは製作することができない。【０００５】  木片に釘を打ち、パーツ、モチーフを製作する方法でも、釘は全て固定されているので、ワイヤーを巻きつけていく際に、まだ巻きつけていない釘に干渉して、ワイヤーが巻きにくい。
またはきれいに巻けないので、精密で入り組んだパーツは製作することができない。
また、特許文献１、特許文献２とも、一定方向に配列された固定穴では、簡単なパーツ、図案をのぞいて、最初に、パーツ、モチーフのデザイン、図案にそって、筒状冶具、段付き頭部のピンを全て挿入してから作業しないと、次にどの位置にワイヤーを巻きつけていくかわからなくなる。
木片に釘を打ち、パーツ、モチーフを製作する方法とおなじである。
最初に、筒状冶具、段付き頭部のピンを全て挿入してから作業する場合は、ワイヤーを巻きつけていく際に、まだ巻きつけていない筒状冶具、段付き頭部のピンに干渉して、ワイヤーが巻きにくい、または、きれいに巻けないので、ワイヤーが巻きつける間隔のデザインに限られるので、パーツ、モチーフのデザインの種類が限られてくる。
また、輪を作りながら、精密で入り組んだパーツは製作することができない。【０００６】  本発明は、以上の問題点を解決するために、一般的に装飾品として用いられている特定の形状を有し、輪を作りながら、精密で入り組んだパーツ、モチーフが形成でき、一つのテンプレートボードで数種類の、パーツ、モチーフを製作できる、装飾品製作用のテンプレートボード冶具と、冶具セットを提供することを目的とする。
【課題を解決するための手段】
【０００７】  以上の課題を解決するために、第一発明は、金属性の線材を屈曲して形成するパーツ、モチーフを用いて、装飾品を製作する為の製作用の冶具であって、金属性の線材を屈曲させる為の冶具を固定するための多数の固定穴を有し、多数の固定穴は、特定の形状に沿って配列し、特定の形状の、数種類のテンプレートを有することを、特徴とする装飾品製作用テンプレートボード冶具である。【０００８】  第二発明は、第一発明の装飾品製作用のテンプレートボード冶具と、装飾品製作用のテンプレートボード冶具に固定して、金属性の線材を屈曲させるための、シンプルな棒状冶具、金属性の線材を屈曲させるための、特定の形状のテンプレートと形状が同じ形状付き棒状冶具、パーツ、モチーフの形状を整える際に、固定穴に固定しやすくした形状を先端に形成した棒状補助冶具、装飾品製作用テンプレートボード冶具の滑り止め防止用のゴム台を備えたことを、特徴とする装飾品制作用の冶具セットである。
【発明の効果】
【０００９】  第一発明によれば、テンプレートとして、特定の形状に沿って固定穴が配列できるので、一般的な装飾品で用いられている、ハートシェープ、ラウンド、オーバル、スクエア、マーキス、ペアシェープなどの数種類の形状が、一つのボードでテンプレートとして製作することができる。
さらに、各テンプレートのサイズちがい、パーツ通しの組み合わせにより、デザインの種類が格段にふえる。
さらに、テンプレートとして、特定の形状に沿って固定穴が配列されているので、金属性の線材であるワイヤーを屈曲させる為の棒状冶具は、最初に固定穴に、棒状冶具を全て固定しておく必要がなく、棒状冶具を特定の形状に沿って固定していく作業方法により、輪をつくりながら、レース編みのように繊細で入り組んだパーツ、モチーフを容易につくることができる。
さらに、金属性の線材であるワイヤーを屈曲させるための棒状冶具を、特定の形状に沿って配列された固定穴に固定し、金属性の線材を屈曲し、輪を作りながら形を作っていくことになるので、輪に他のパーツをつないだり、ぶら下げたりすることができるので、同じパーツでもオリジナルの作品を作ることができる。【００１０】  また、第二発明によれば、金属性の線材を屈曲させるための冶具を、シンプルな棒状冶具にすることにより、超細径冶具にすることができるので、固定穴と固定穴の間隔、固定穴のサイズを小さくすることができるので、小さくてカーブのあるパーツ、モチーフでも、特定の形状を維持しながら、入り組んだ繊細なパーツ、モチーフを制作することができる。
さらに、第二発明によれば、棒状冶具と特定の形状付き棒状冶具と組み合わせることにより、特定の形状に沿って全ての固定穴に、棒状冶具を固定しないで、ワイヤーを屈曲しない場合でも、特定の形状のきれいなカーブのパーツ、モチーフを作ることができる。
さらに、第二発明によれば、ワイヤーを棒状冶具に、巻きつける場合は、作業者によって、きつく巻きつける場合がある。
あまりにもきつく巻きつけると、形状を整える場合に、棒状冶具が固定穴に入らない場合がある。
そのような場合には、棒状補助冶具でワイヤーを広げながら、形状を整えることができるので、全体的にバランスの良い、きれいな仕上げにできる。
さらに、第二発明によれば、テンプレートボード冶具を回しながら作業するので、ゴム台のような滑りにくい台を使うことにより、作業が容易になるので、効率がよい。
また、テンプレートボード冶具を直接机において作業すると、テンプレートボード冶具を動かすので、机などがこすれて、痛むのを解消できる。
【図面の簡単な説明】
【００１１】
【図１】本発明の一実施形態を示した斜視図である。
【図２】本発明の棒状治具を示した斜視図である。
【図３】本発明のゴム台を示した斜視図である。
【図４】本発明のテンプレートボード治具に、棒状治具と形状付き棒状治具を固定した状態の側面図である。
【図５】本発明の形状付き棒状治具を示した斜視図である。
【図６】本発明の棒状補助冶具を示した斜視図である。
【図７】本発明の第一実施例の実施状態を示した説明図である。
【図８】本発明の第一実施例から得られる説明図である。
【図９】本発明の第一実施例の図８（Ｂ）の手順を示した説明図である。
【図１０】本発明の第一実施例の図８（Ｂ）の手順を図９の続きとして示した説明図である。
【図１１】本発明の第一実施例の図８（Ｃ）の手順を示した説明図である。
【図１２】本発明の第一実施例の図８（Ｃ）の手順を図１１の続きと、図８（Ｄ）の手順を示した説明図である。
【図１３】本発明の第一実施例の、図７のテンプレートボード冶具から得られる他のパーツ、モチーフ、装飾品の例を示した説明図である。
【図１４】本発明の第一実施例の、図７のテンプレートボード冶具から得られる他のモチーフで、輪が小さくなった例を示した説明図である。
【図１５】本発明の棒状補助冶具で輪を広げる状態を示した説明図である。
【図１６】本発明の第二実施例の実施状態を示した説明図である。
【図１７】本発明の第二実施例から得られる説明図である。
【図１８】本発明の第二実施例の手順を示した説明図である。
【図１９】本発明の第二実施例の手順を図１８の続きとして示した説明図である。
【発明を実施するための形態】
【００１２】  この発明の実施の形態を、図１から図１９に示す。
【００１３】  テンプレートボード治具１について、説明する。
図１は、この発明の一実施形態を示す。
正方形のテンプレートボード治具１の上面１ａを数ブロックに分け、多数の固定穴６を設け、棒状冶具３を設け、ゴム台２を設けている。
棒状冶具３は、テンプレート１１の固定穴６に沿って作業しながら複数固定する。
【００１４】  棒状治具３について、説明する。
図２の棒状治具３は、金属性の線材であるワイヤーを屈曲、巻きつける為の作業を行う為のもので、小さいサイズのパーツ、入り組んだパーツ、モチーフにも対応できる、シンプルな超細径の棒状の冶具である。
長さは、固定穴６の深さｘ（図４）の、約倍のサイズである。
棒状治具３は超細径だけとは限らない。
超細径のほかに、細径、太径など数種類用意されている。
【００１５】  ゴム台２について、説明する。
図３のゴム台２は、テンプレートボード治具１を、手で押さえ、回しながら作業しやすい、シンプルなゴム状の台で、テンプレートボード治具１のサイズより大きいサイズである。
【００１６】  図４は、テンプレートボード治具１に、棒状治具３と形状付き棒状治具５（図５）を固定した状態の側面図である。
テンプレートボード治具１の固定穴６の深さｘは、ワイヤーを巻き付けやすく、棒状冶具３が安定する、棒状冶具３の約半分の深さである。
固定穴６はテンプレートボード冶具１の下面１ｂを貫通していないので棒状冶具３が固定する構造である。
【００１７】  形状付き棒状治具５について、説明する。
図５の形状付き棒状治具５は、テンプレートボード治具１のテンプレート１１の形状に沿って、配列された固定穴６に対応する、テンプレート１１の形状と同じ形状部５ａと固定穴６に固定する棒状部５ｂを持った冶具である。
テンプレート１１の形状に沿った固定穴６のサイズに関係なく、テンプレート中央の固定穴６に固定するので、テンプレート中央の固定穴６のサイズと、形状付き棒状治具５の棒状部５ｂが対応するサイズである。
また、棒状部５ｂの長さが、固定穴６の深さｘより長いと、形状部５ａが、テンプレートボードの上面１ａより浮き上がるので、ワイヤーを巻きつけるとき、ワイヤーが形状部５ａとテンプレートボードの上面１ａに、くい込むので、棒状部５ｂの長さは、固定穴６の深さｘより、短く設定されている（図４）。
【００１８】  棒状補助冶具４について、説明する。
図６の棒状補助冶具４は、先端部４ａを円錐状に形成し、棒状治具３と同じサイズである。
【第一実施例】
【００１９】  図７は、第一実施例を示すもので、テンプレートボード冶具１を、ゴム台２に載せて、テンプレートボード冶具１のラウンドテンプレート１１の固定穴６に、棒状冶具３を固定し、金属製の線材であるワイヤー７（図８（Ａ））を巻きつけて、パーツ８、モチーフ９（図８（Ｂ）、（Ｃ）、（Ｄ））を作り、他のパーツ、金具を取り付けて装飾品１０（図８（Ｅ））を製作する。
棒状冶具３は、複数準備する。
図９の（Ａ）から（Ｉ）は、図８（Ｂ）のパーツ８の手順を示した説明図である。
図１０の（Ｊ）から（Ｒ）は、図８（Ｂ）のパーツ８の手順を図９の続きとして示した説明図である。
図１１の（Ａ）から（Ｉ）は、図８（Ｃ）の、パーツ８の手順を示した説明図である。
図１２の（Ｊ）、（Ｋ）は、図８（Ｃ）のパーツ８の手順を図１１の続きとして示した説明図である。
図１２の（Ｌ）、（Ｍ）は、図８（Ｄ）のモチーフの手順を示した説明図である。
【００２０】  最初に、ラウンドテンプレート１１から、出来上がりのサイズを決めて、棒状冶具３を固定穴６に固定する（図９（Ａ））。
そして、最初に固定した棒状冶具３に、ワイヤー７を巻きつける（図９（Ｂ））。
次に、棒状冶具３を固定穴６に固定する（図９（Ｃ））。
そして、棒状冶具３に、ワイヤー７を巻きつける（図９（Ｄ））。
次に、棒状冶具３を固定穴６に固定する（図９（Ｅ））。
そして、棒状冶具３に、ワイヤー７を巻きつける（図９（Ｆ））。
次に、棒状冶具３を固定穴６に固定する（図９（Ｇ））。
そして、棒状冶具３に、ワイヤー７を巻きつける（図９（Ｈ））。
次に、棒状冶具３を固定穴６に固定する（図９（Ｉ））。
そして、棒状冶具３に、ワイヤー７を巻きつける（図１０（Ｊ））。
次に、棒状冶具３を固定穴６に固定する（図１０（Ｋ））。
そして、棒状冶具３に、ワイヤー７を巻きつける（図１０（Ｌ））。
次に、棒状冶具３を固定穴６に固定する（図１０（Ｍ））。
そして、棒状冶具３にワイヤー７を巻きつけ、テンプレート１１の形状に沿って、棒状冶具３を固定穴６に固定、ワイヤー７を棒状冶具３に巻きつけを繰り返す。（図１０（Ｎ））。
棒状冶具３を固定穴６に固定、ワイヤー７を棒状冶具３に巻きつけを繰返していくと、ワイヤー７を巻きつける際に、最初にワイヤー７を巻きつけた棒状冶具３に、手があたり、巻きにくくなり、きれいに巻きつけることができなくなるので、最初に、固定穴６に固定した棒状冶具３を、数本固定穴６から抜く（図１０（Ｎ）、図１０（Ｏ））。
棒状冶具３を、数本固定穴６から抜いても、輪をつくりながら棒状冶具３にワイヤー７を巻きつけているので、形が崩れるということがない。
そして、最初に巻きつけた棒状冶具３まで、棒状冶具３を固定穴６に固定、そして、棒状冶具３にワイヤー７を巻きつけを繰り返す（図１０（Ｐ））。
最後に、最初に巻きつけたワイヤー７の輪に、ワイヤー７を重ねる（図１０（Ｐ））。
次に、テンプレートボード冶具１から、棒状冶具３を全部抜き、テンプレートボード冶具１から、パーツ８をはずす（図１０（Ｑ））。
次に、はずしたパーツ８を、最初に巻きつけたワイヤー７の輪に、ワイヤー７を重ねた余ったワイヤー７をカットし、つなぎ目をワイヤー７の種類によって、ロー付け、接着、細いワイヤーで絡めるなどしてきれいに処理する（図１０（Ｑ））。
パーツ８の完成である（図１０（Ｒ））。
【００２１】  次に、棒状冶具３をテンプレート１１の固定穴６に固定する（図１１（Ａ））。
そして、棒状冶具３に、ワイヤー７を巻きつける（図１１（Ｂ））。
次に、棒状冶具３を固定穴６に固定する（図１１（Ｃ））。
そして、棒状冶具３に、ワイヤー７を沿わせる（図１１（Ｄ））。
次に、棒状冶具３を固定穴６に固定する（図１１（Ｅ））。
そして、棒状冶具３に、ワイヤー７を巻きつける（図１１（Ｆ））。
次に、棒状冶具３を固定穴６に固定する（図１１（Ｇ））。
そして、棒状冶具３に、ワイヤー７を沿わせ、棒状冶具３を固定穴６に固定、棒状冶具３に、ワイヤー７を巻きつけを、テンプレート１１の形状に沿って繰返していくと（図１１（Ｈ））、ワイヤー７を巻きつける際に、最初にワイヤー７を巻きつけた棒状冶具３に、手があたり、巻きにくくなり、きれいに巻きつけることができなくなるので、最初に、固定穴６に固定した棒状冶具３を、数本固定穴６から抜く（図１１（Ｉ））。
そして、最初に巻きつけた棒状冶具３まで、棒状冶具３を固定穴６に固定、棒状冶具３にワイヤー７を沿わせ、棒状冶具３を固定穴６に固定、棒状冶具３にワイヤー７を巻きつけを繰返す（図１２（Ｊ））。
最後は、最初に巻きつけたワイヤー７の輪に、ワイヤー７を重ねる（図１２（Ｊ））。
次に、テンプレートボード冶具１から、棒状冶具３を全部抜き、パーツ８をはずす。
そして、はずしたパーツ８を、最初に巻きつけたワイヤー７の輪に、ワイヤー７を重ねた余ったワイヤー７をカットし、つなぎ目をワイヤー７の種類によって、ロー付け、接着、細いワイヤーで絡めるなどしてきれいに処理する。
パーツ８の完成である（図１２（Ｋ））。
【００２２】  次に、図１２（Ｋ）のパーツ８を下に、図１０（Ｒ）のパーツ８を上にして、テンプレートボード冶具１のテンプレート１１にのせて、棒状冶具３を形状に沿って、固定穴６に全て固定して、形状を整える（図１２（Ｌ））。
次に、形状を整えたパーツ８と、パーツ８をワイヤー７の種類によって、ロー付け、接着、細いワイヤーで絡めるなどしてきれいに処理し、モチーフ９の完成である（図１２（Ｍ））。
【００２３】  図１３は、第一実施例の図７の、テンプレートボード冶具１の、ラウンドのテンプレート１１以外の、テンプレート１１を使い得られるパーツ８、モチーフ９、装飾品１０の例である。
作業は、図９〜図１２と同じように、棒状冶具３を固定、ワイヤー７を巻きつける、または、ワイヤー７を沿わせる、棒状冶具３を固定、ワイヤー７を巻きつけるを繰り返して製作する。
図１３（Ａ）、（Ｂ）は、ハートのテンプレート１１を使い、ワイヤー７の巻き方を変えた例である。図１３（Ｃ）は、図１３（Ｂ）のモチーフ９に、チェーン、他のパーツを取り付けた装飾品１０である。
図１３（Ｄ）は、スクエアのテンプレート１１、図１３（Ｅ）は、ペアシェープのテンプレート１１、図１３（Ｆ）は、マーキスのテンプレート１１の例である。
図１３（Ｇ）、（Ｈ）、（Ｉ）、（Ｊ）は、オーバルのテンプレート１１の例であり、（Ｇ）、（Ｈ）は、それぞれのパーツ８の例で、（Ｉ）は、パーツ８とパーツ８を合体させたオーバルのモチーフ９である。
図１３（Ｊ）は、図１３（Ｉ）に、別に作成した石枠を取り付け、石をセッティングし、チェーンを取り付けた装飾品１０である。
【００２４】  図１４は、第一実施例の図７の、テンプレートボード冶具１のペアシェープのテンプレート１１で、棒状冶具３にワイヤー７をきつく巻きすぎて、Ｚのように、ワイヤー７で巻き付けた輪が、小さくなった例である。
【００２５】  図１５は、形状を整える際に、図１４のＺのように輪が小さくなって棒状冶具３が、固定穴６に固定できない場合は、棒状補助冶具４の先端部４ａで、徐々に輪を伸ばしながら、形状を整える状態を示した説明図である。
【第二実施例】
【００２６】  図１６は、第二実施例を示すもので、テンプレートボード冶具１を、ゴム台２に載せて、テンプレートボード冶具１のテンプレート１１の固定穴６に、棒状冶具３、形状付き棒状冶具５を固定し、金属製の線材であるワイヤー７（図１７（Ａ））を巻きつけて、パーツ８（図１７（Ｂ））を作り、他のパーツ、金具を取り付けて装飾品１０（図１７（Ｃ））を製作する。棒状冶具３は、複数準備する。
図１８（Ａ）から（Ｉ）は第二実施例の手順を示した説明図である。
図１９（Ｊ）から（Ｎ）は第二実施例の手順を、図１８の続きとして示した説明図である。
【００２７】  最初にテンプレートボード冶具１の、オーバルのテンプレート１１の固定穴６に、棒状冶具３を固定する（図１８（Ａ））。
そして、ワイヤー７を棒状冶具３に巻きつける（図１８（Ｂ））。
次に、オーバルのテンプレート１１の、中心の固定穴６（図１８（Ｂ））に、オーバルの形状付き棒状冶具５を固定する（図１８（Ｃ））。
そして、ワイヤー７を形状付き棒状冶具５に沿わせる（図１８（Ｄ））。
次に、棒状冶具３を固定穴６に固定する（図１８（Ｅ））。
そして、ワイヤー７を棒状冶具３に巻きつて、形状付き棒状冶具５に沿わせる（図１８（Ｆ））。
次に、棒状冶具３を固定穴６に固定する（図１８（Ｇ））。
そして、棒状冶具３にワイヤー７を巻きつけて、形状付き棒状冶具５に沿わせる（図１８（Ｈ））。
次に、棒状冶具３を固定穴６に固定する（図１８（Ｉ））。
そして、棒状冶具３に、ワイヤー７を巻きつける（図１９（Ｊ））。
次に、ワイヤー７を形状付き棒状冶具５に、そわせて、最初に固定した棒状冶具３の下にワイヤー７を通す（図１９（Ｋ））。
そして、テンプレートボード冶具１から、棒状冶具３と形状付き棒状冶具５を、全部抜き、テンプレートボード冶具１から、パーツ８をはずす（図１９（Ｌ））。
次に、最初に棒状冶具３に巻き付けた輪の、余分なワイヤー７をカットして、ワイヤー７の種類によって、ロー付け、接着、細いワイヤーで絡めるなどしてきれいに処理する。
テンプレートボード冶具の、オーバルのテンプレート１１に、出来上がったパーツ８をのせて、棒状冶具３と形状付き棒状冶具５を、全部固定して、形を整える（図１９（Ｍ））。
パーツ８の完成である（図１９（Ｎ））。
【００２８】  実施形態の効果について説明する。
第一実施例によれば、最初に、テンプレートとして、形状がすでにきまっているので、棒状冶具を全て固定しておく必要がないので、次の棒状冶具を何処に固定するかわかるので、作業方法を、棒状冶具を固定、ワイヤーを巻きつける、棒状冶具を固定、ワイヤーを巻きつける、を繰返す方法にできるので、棒状冶具に、ワイヤーを巻きつける際に、巻き付けにくいと言う事がないので、どの位置の棒状冶具にも、容易に巻きつけることができる。
この方法により、固定穴と固定穴の間隔は、ワイヤーの通るスペースがあれば、ワイヤーを巻きつけることができるので、棒状冶具も超細径の棒状冶具を使うことができる。
精密な作業方法と、固定穴を有したテンプレートと、超細径の棒状冶具の組み合わせにより、アクセサリーのような小さいパーツでも、形状を維持しながら、レース編みのように、繊細なパーツ、モチーフを作ることが容易にできる。
また、テンプレートを使うことにより、同じパーツができるが、テンプレートの固定穴を一段使用、二段使用、三段使用するパーツ、または、ワイヤーの巻き方をかえるモチーフ、パーツとパーツの組み合わせのモチーフ、棒状冶具にワイヤーを巻きつける作業により、どのパーツも、ワイヤーの輪を作りながら作業していくことになるので、輪に他のパーツをとりつけるデザイン、さらに、一つのテンプレートボード冶具に数種類のテンプレートを有することにより、パーツ、モチーフ、デザインの種類が増え、オリジナルの作品を作ることができる。
【００２９】  第二実施例によれば、テンプレートに沿って全て棒状冶具を固定しないでパーツを作るときは、テンプレートと同じ形状で、棒状冶具に対応した、形状付き棒状冶具を使うことにより、形状を維持しながら、カーブのあるパーツでも、容易に作ることができる。
【００３０】  他の実施形態について、説明する。
以上の実施形態では、テンプレートボード治具に配置するテンプレートは、６パターンであったが、アクセサリーとしては、一般的に見られる最大のサイズで、４パターンでテンプレートボード治具を手で押さえながら作業しやす配置であるので、４パターンでもよい。
テンプレートを小さいサイズにして６パターン以上でもよい。
また、実施形態では、正方形のテンプレートボードであったが、テンプレートの形状はさまざまなので、テンプレートがバランスよく収まる形状でよい。
また、実施形態では、テンプレートボード冶具は、形状の異なったテンプレートを一つのボードに配置したが、他の実施形態では、テンプレートの形状が同じで、固定穴の配列の異なったテンプレート、固定穴のサイズの混在したテンプレートの組み合わせのテンプレートボード冶具でもよい。
固定穴のサイズの混在したテンプレートでは、超細径の棒状冶具と細径、太径の棒状冶具の組み合わせにより、よりデザイン性の高い、パーツ、モチーフを作ることができる。
また、テンプレートの種類が同じで、形状の異なったテンプレートでもよい。
たとえば、ハートの形状にはさまざまなハートの形状があるので、ハートの形状だけのテンプレートでもよい。
形状の異なったテンプレートでも、テンプレートの形状が同じでも、テンプレートを一つのテンプレートボード冶具に、数種類配置することにより、さまざまなパーツ、モチーフを作ることができる。
【符号の説明】
【００３１】１    テンプレートボード治具
１ａ  上面
１ｂ  下面
２    ゴム台
３    棒状冶具
４    棒状補助冶具
４ａ  先端部
５    形状付き棒状冶具
５ａ  形状部
５ｂ  棒状部
６    固定穴
７    ワイヤー
８    パーツ
９    モチーフ
１０  装飾品
１１  テンプレート
【図１】
2012050796.tif 000003
【図２】
2012050796.tif 000004
【図３】
2012050796.tif 000005
【図４】
2012050796.tif 000006
【図５】
2012050796.tif 000007
【図６】
2012050796.tif 000008
【図７】
2012050796.tif 000009
【図８】
2012050796.tif 000010
【図９】
2012050796.tif 000011
【図１０】
2012050796.tif 000012
【図１１】
2012050796.tif 000013
【図１２】
2012050796.tif 000014
【図１３】
2012050796.tif 000015
【図１４】
2012050796.tif 000016
【図１５】
2012050796.tif 000017
【図１６】
2012050796.tif 000018
【図１７】
2012050796.tif 000019
【図１８】
2012050796.tif 000020
【図１９】
2012050796.tif 000021
【手続補正書】
【提出日】平成23年8月4日(2011.8.4)
【手続補正１】
【補正対象書類名】特許請求の範囲
【補正対象項目名】全文
【補正方法】変更
【補正の内容】
【特許請求の範囲】
【請求項１】
金属性の線材を屈曲して形成するパーツ、モチーフを用いて、装飾品を製作する為の製作用の冶具であって、金属性の線材を屈曲させる為の冶具を固定するための多数の固定穴を有し、多数の固定穴は、特定の形状に沿って配列し、特定の形状の、テンプレートを有することを、特徴とする装飾品製作用テンプレートボード冶具。
【請求項２】
請求項１に記載の、装飾品製作用のテンプレートボード冶具と、装飾品製作用のテンプレートボード冶具に固定して、金属性の線材を屈曲させるための、シンプルな棒状冶具、金属性の線材を屈曲させるための、特定の形状のテンプレートと形状が同じ形状付き棒状冶具、パーツ、モチーフの形状を整える際に、固定穴に固定しやすくした形状を先端に形成した棒状補助冶具、装飾品製作用テンプレートボード冶具の滑り止め防止用のゴム台を備えたことを、特徴とする装飾品製作用の冶具セット。